(57)【特許請求の範囲】
【請求項１】
ベース基材の一方の面側に配置された複数の帯状電極からなる第１の電極層と、透明基板上に形成され、前記第１の電極層に対向配置された第２の電極層と、前記第１の電極層と前記第２の電極層との間に挟み込まれた情報表示層とを有し、前記複数の帯状電極と前記第２の電極層との間の電位差に応じた前記情報表示層による第１の色及び第２の色が前記第２の電極層側から視認されることによって、前記第２の色を背景として、前記第１の色を具備するバーが、表現する情報に応じた幅及び間隔を有して幅方向に複数並んで構成されるバーコードを表示するバーコード表示ラベルにおいて、
前記第１の色と略同一色を具備するとともに、前記複数のバーの並び方向の幅が、表示される複数のバーのうちその幅が最も狭いナローバーの１０倍以上である着色領域が、前記複数のバーの並び方向最も外側となる２つのバーから、前記ナローバーの幅の１０〜２９倍だけ前記複数のバーの並び方向外側に離れて前記透明基板上に前記第１の色と略同一色による印刷によって設けられていることを特徴とするバーコード表示ラベル。
【発明の詳細な説明】
【技術分野】
【０００１】
本発明は、バーコードを表示するバーコード表示ラベルに関し、特に、エッジ部分によってバーコードの読取精度が低下してしまうことを回避する技術に関する。
【背景技術】
【０００２】
従来より、物品を管理するためにバーコードが利用されている。このバーコードは、白色を背景として識別情報を複数本からなる黒色線の幅及び間隔で表したものであり、バーコードリーダで読み取ることにより識別情報を認識することができる。このようなバーコードは、物品に直接印刷されたり、ラベルに印刷されて物品に貼付されたりして利用されている。そのため、一度印刷されたバーコードを変更することができず、バーコードを変更する場合は、物品にバーコードを印刷しなおしたり、変更したバーコードが印刷されたラベルを貼り直したりしなければならない。
【０００３】
そこで、対向する電極間に、印加された電位に応じてその状態が変化する表示媒体を配置し、その電極に印加する電位を用いて表示媒体の状態を変化させて情報を表示する情報表示パネルを用いてバーコード表示を行う技術が考えられている（例えば、特許文献１参照。）。この情報表示パネルにおいては、バーコードを構成するバーのうちその幅が最も狭いバーの幅を有する電極を幅方向に複数並べて配置し、この複数の電極に選択的に電位を印加することにより、表示媒体のその電極に対向する領域の状態を変化させ、白色を背景とし、表示する情報に応じた幅及び間隔で黒色線を表示することになる。
【０００４】
これにより、上記のような情報表示パネルをラベル形態として物品に貼付しておけば、表示されるバーコードが可変であるため、バーコードを変更する場合であっても、変更したバーコードが印刷されたラベルを貼り直す必要がなくなる。
【先行技術文献】
【特許文献】
【０００５】
【特許文献１】特開２００６−２３４９１１号公報
【発明の概要】
【発明が解決しようとする課題】
【０００６】
一般に、バーコードにおいては、黒色線によるバーの並びがバーコードであることを識別させるために、バーの並び方向外側に、バーコードを構成するバーのうちその幅が最も狭いナローバーの１０倍以上の幅を有するクワイエットゾーンという余白部分が設けられている。
【０００７】
ところが、上述したようなバーコードを表示可能な情報表示パネルをラベル形態として物品に貼付した場合、そのエッジ部分が、バーコードを構成するバーのうちバーの並び方向最も外側となる２つのバーからナローバーの幅の１０倍程度の領域に設けられていても、一般的なラベルよりもその厚さが厚いこと等からそのエッジ部分がバーとして認識され、バーコードの読み取り精度が低下してしまう。特に、赤外線レーザタイプのバーコードリーダを用いた場合、バーコードを読み取ることができなくなってしまう場合がある。そのため、バーコードを表示可能な情報表示パネルをラベル形態とする場合、クワイエットゾーンの幅をかなり広いものとする必要が生じ、それにより、バーコードを表示するバーコード表示ラベル全体の大きさが大きくなってしまうという問題点がある。
【０００８】
本発明は、上述したような従来の技術が有する問題点に鑑みてなされたものであって、対向する電極間に配置された表示媒体の状態を変化させてバーコードを表示するものであっても全体を大型化することなくバーコードを正確に読み取ることができるバーコード表示ラベルを提供することを目的とする。
【課題を解決するための手段】
【０００９】
上記目的を達成するために本発明は、
ベース基材の一方の面側に配置された複数の帯状電極からなる第１の電極層と、透明基板上に形成され、前記第１の電極層に対向配置された第２の電極層と、前記第１の電極層と前記第２の電極層との間に挟み込まれた情報表示層とを有し、前記複数の帯状電極と前記第２の電極層との間の電位差に応じた前記情報表示層による第１の色及び第２の色が前記第２の電極層側から視認されることによって、前記第２の色を背景として、前記第１の色を具備するバーが、表現する情報に応じた幅及び間隔を有して幅方向に複数並んで構成されるバーコードを表示するバーコード表示ラベルにおいて、
前記第１の色と略同一色を具備するとともに、前記複数のバーの並び方向の幅が、表示される複数のバーのうちその幅が最も狭いナローバーの１０倍以上である着色領域が、前記複数のバーの並び方向最も外側となる２つのバーから、前記ナローバーの幅の１０〜２９倍だけ前記複数のバーの並び方向外側に離れて前記透明基板上に前記第１の色と略同一色による印刷によって設けられていることを特徴とする。
【００１０】
上記のように構成された本発明においては、ベース基材の一方の面側に配置された複数の帯状電極と、この複数の帯状電極からなる第１の電極層に対向配置された第２の電極層との間の電位差に応じて、これら第１の電極層と第２の電極層との間に挟み込まれた情報表示層による第１の色及び第２の色が第２の電極層側から視認されることによって、第２の色を背景として、第１の色を具備するバーが、表現する情報に応じた幅及び間隔を有して幅方向に複数並んで構成されるバーコードが表示されることになる。ここで、表示される複数のバーの並び方向外側には、バーを表示する第１の色と略同一色を具備するとともに、複数のバーの並び方向の幅が、表示される複数のバーのうちその幅が最も狭いナローバーの１０倍以上である着色領域が、複数のバーの並び方向最も外側となる２つのバーから、ナローバーの幅の１０〜２９倍だけ複数のバーの並び方向外側に離れて設けられている。そのため、この着色領域の外側はバーコードを表現する部分とは認識されず、着色領域の外側にバーコード表示ラベルのエッジ部が存在したとしても、エッジ部がバーとして認識されてしまうことがない。
【発明の効果】
【００１２】
以上説明したように本発明においては、表示される複数のバーの並び方向外側に、バーを表示する第１の色と略同一色を具備するとともに、複数のバーの並び方向の幅が、表示される複数のバーのうちその幅が最も狭いナローバーの１０倍以上である着色領域が、複数のバーの並び方向最も外側となる２つのバーから、ナローバーの幅の１０〜２９倍だけ複数のバーの並び方向外側に離れて設けられた構成としたため、この着色領域の外側にバーコード表示ラベルのエッジ部が存在したとしても、着色領域の外側はバーコードを表現する部分とは認識されず、それにより、エッジ部がバーとして認識されてしまうことがない。これにより、複数のバーの並び方向外側に配置されるクワイエットゾーンの幅をかなり広くすることなく、複数のバーの並び方向最も外側となる２つのバーから、ナローバーの幅の１０〜２９倍だけ複数のバーの並び方向外側に着色領域を設けるだけで、バーコードを正確に読み取ることができる。
【図面の簡単な説明】
【００１３】
【図１】本発明のバーコード表示ラベルによって表示されるバーコードの一例を示す図である。
【図２】本発明のバーコード表示ラベルの第１の実施の形態に用いられる配線電極基板の構成を示す図であり、（ａ）は表面から見た図、（ｂ）は（ａ）に示したＡ−Ａ’断面図である。
【図３】図２に示した配線電極基板を用いたバーコード表示ラベルの構成を示す図であり、（ａ）は表面から見た図、（ｂ）は（ａ）に示したＡ−Ａ’断面図、（ｃ）は（ｂ）に示したＡ部拡大図である。
【図４】図３に示したバーコード表示ラベルによって図１に示したバーコードを表示する際の動作を説明するための図であり、（ａ）は帯状電極と透明電極との間における電位差による帯電性粒子の移動を示す図、（ｂ）はバーコード表示ラベルを透明導電膜基板側から見た場合の見え方を示す図である。
【図５】図３及び図４に示したバーコード表示ラベルにおいて着色領域の色によるバーコードの読取結果を示す図である。
【図６】本発明のバーコード表示ラベルの第２の実施の形態に用いられる配線電極基板の構成を示す図であり、（ａ）は表面から見た図、（ｂ）は（ａ）に示したＡ−Ａ’断面図である。
【図７】図６に示した配線電極基板を用いたバーコード表示ラベルの構成を示す図であり、（ａ）は表面から見た図、（ｂ）は（ａ）に示したＡ−Ａ’断面図である。
【図８】図７に示したバーコード表示ラベルによって図１に示したバーコードを表示する際の動作を説明するための図である。
【発明を実施するための形態】
【００１４】
以下に、本発明の実施の形態について図面を参照して説明する。
【００１５】
まず、本発明のバーコード表示ラベルによって表示されるバーコードについて説明する。
【００１６】
図１は、本発明のバーコード表示ラベルによって表示されるバーコードの一例を示す図である。
【００１７】
本例におけるバーコードは図１に示すように、第２の色となる白色を具備する背景部４を背景とし、第１の色となる黒色を具備する複数のバー５がその幅方向に複数並んで配置されており、情報を表現するためのバーコードシンボル部２と、このバーコードシンボル部２の両側に配置されたクワイエットゾーン３とから構成されている。
【００１８】
バーコードシンボル部２は、背景部４上に、複数のバー５が、バーコード１によって表現する情報に応じた幅及び間隔を有して幅方向に並んでいる。なお、バーコードシンボル部２には、スタートコード及びストップコード、また、チェックデジットを表現する領域も含まれている。
【００１９】
クワイエットゾーン３は、白色の背景部４のみからなり、バーコードシンボル部２のバー５の並び方向外側に配置されている。
【００２０】
（第１の実施の形態）
図２は、本発明のバーコード表示ラベルの第１の実施の形態に用いられる配線電極基板の構成を示す図であり、（ａ）は表面から見た図、（ｂ）は（ａ）に示したＡ−Ａ’断面図である。なお、図２に示す配線電極基板１０は、図１に示したバーコード１を表示するためのバーコード表示ラベルに用いられるものである。
【００２１】
本形態における配線電極基板は図２に示すように、ベース基板１１の一方の面に、第１の電極層を構成する帯状電極１２がその幅方向に複数並んで形成され、さらにその帯状電極１２の並び方向外側に２つの余白用電極１５及び着色領域用電極１６が形成されており、これら帯状電極１２、余白用電極１５及び着色領域用電極１６のそれぞれには、配線１３を介して接続端子１４が接続されている。複数の帯状電極１２のそれぞれは、バーコードシンボル部２を表示するためのものであって、上述したスタートコード、ストップコード及びチェックデジットを表現する部分も含めて、バーコードシンボル部２にて表示されるバー５のうちその幅が最も狭いバー（以下、ナローバーと称する）の幅と同一のものとなっている。また、余白用電極１５は、ナローバーの１０〜２９倍の幅を有し、クワイエットゾーン３を表示するためのものであって、クワイエットゾーン３が白色の背景部４のみからなるものであるため、クワイエットゾーン３の幅を有する１つずつのものとなっている。また、着色領域用電極１６においては、クワイエットゾーン３の外側においてバーコード１を構成するバー５と同一の色を表示するためのものであって、ナローバーの１０倍以上の幅を有している。
【００２２】
図３は、図２に示した配線電極基板１０を用いたバーコード表示ラベルの構成を示す図であり、（ａ）は表面から見た図、（ｂ）は（ａ）に示したＡ−Ａ’断面図、（ｃ）は（ｂ）に示したＡ部拡大図である。
【００２３】
本形態におけるバーコード表示ラベルは図３に示すように、図２に示した配線電極基板１０の帯状電極１２、余白用電極１５及び着色領域用電極１６が形成された面に、情報表示層２０と透明導電膜基板３０とが積層されているとともに、配線電極基板１０のそれとは反対側の面に粘着剤４１を介して剥離紙４２が剥離可能に貼着されて構成されている。透明導電膜基板３０は、ガラス等からなる透明基板３１の一方の面に第２の電極層となる透明電極（例えば、ＩＴＯ）３２が形成されて構成されており、また、情報表示層２０は、隔壁２１とシール層２４とで囲まれた領域に、帯電性粒子２３が分散した隔壁内液体２２が収容されて構成されている。そして、これら配線電極基板１０、情報表示層２０及び透明導電膜基板３０は、透明電極３２と、帯状電極１２、余白用電極１５及び着色領域用電極１６とが、隔壁２１とシール層２４とで囲まれた領域に収容された隔壁内液体２２を介して対向するように積層されている。なお、隔壁２１は、底部と、情報表示層２０の外周部となる側部と、側部で囲まれた領域を複数の領域に区画するための壁部とからなり、底部とは反対側の面が開口した形状となっている。そして、底部側が透明導電膜基板３０に対向するように積層されており、開口した側にシール層２４が積層されている。
【００２４】
また、透明導電膜基板３０は、情報表示層２０の帯状電極１２とは反対側に積層されており、透明基板３１上には、帯状電極１２、余白用電極１５及び着色領域用電極１６と対向しない領域にマスク印刷３３が施されている。それにより、配線電極基板１０に形成された配線１３及び接続端子１４が透明明導電膜基板３０を介して視認されないようになっている。
【００２５】
以下に、上記のように構成されたバーコード表示ラベル６によるバーコード表示について説明する。
【００２６】
図４は、図３に示したバーコード表示ラベル６によって図１に示したバーコード１を表示する際の動作を説明するための図であり、（ａ）は帯状電極１２と透明電極３２との間における電位差による帯電性粒子２３の移動を示す図、（ｂ）はバーコード表示ラベル６を透明導電膜基板３０側から見た場合の見え方を示す図である。
【００２７】
図３に示したバーコード表示ラベル６によって図１に示したバーコード１を表示する場合、例えば、透明電極３２を０Ｖとし、また、ベース基板１１に形成された帯状電極１２、余白用電極１５及び着色領域用電極１６のうち、クワイエットゾーン３を表示するための余白用電極１５と、バーコードシンボル部２にて表現したい情報に応じて背景部４を表示するための帯状電極１２にプラスの電圧を印加するとともに、着色領域用電極１６と、バーコードシンボル部２にて表現したい情報に応じてバー５を表示するための帯状電極１２にマイナスの電圧を印加する。これは、配線１３を介して帯状電極１２、余白用電極１５または着色領域用電極１６に接続された接続端子１４にプラスあるいはマイナスの電圧が選択的に印加されることにより行われる。
【００２８】
このように、透明電極３２が０Ｖとされ、帯状電極１２、余白用電極１５及び着色領域用電極１６にプラスあるいはマイナスの電圧が印加されると、プラスの電圧が印加された帯状電極１２及び余白用電極１５に対向する領域においては、帯状電極１２に対して透明電極３２側がマイナスとなる電位差が生じ、また、マイナスの電圧が印加された帯状電極１２及び着色領域用電極１６に対向する領域においては、帯状電極１２に対して透明電極３２側がプラスとなる電位差が生じる。すると、隔壁２１及びシール層２４で囲まれた領域に収容された隔壁内液体２２が誘電性物質からなり、帯電性粒子２３がプラス電位に帯電しているものであることから、図４（ａ）に示すように、マイナスの電圧が印加された帯状電極２１及び着色領域用電極１６に対向する領域においては、帯電性粒子２３が帯状電極１２または着色領域用電極１６側に引き寄せられていき、また、プラスの電圧が印加された帯状電極１２及び余白用電極１５に対向する領域においては、帯電性粒子２３が透明電極３２側に引き寄せられていく。
【００２９】
そして、隔壁内液体２２が染料または顔料で黒色に着色されており、帯電性粒子２３が高屈折率の光散乱成分を含むため、このバーコード表示ラベル６を透明導電膜基板３０側から見た場合、マイナスの電圧が印加された帯状電極１２及び着色領域用電極１６に対向する領域においては、情報表示層２０による黒色が透明導電膜基板３０を介して認識され、また、プラスの電圧が印加された帯状電極１２及び余白用電極１５に対向する領域においては、情報表示層２０による白色が透明導電膜基板３０を介して認識されるようになる。
【００３０】
バーコードシンボル部２においては、帯状電極１２の幅が、上述したように、バーコードシンボル部２にて表示されるバー５のうちナローバーの幅と同一のものとなっているため、バーコードシンボル部２にて黒色で表示されるバー５の幅が帯状電極１２の幅と同一である場合は、１つの帯状電極１２にマイナスの電圧が印加されるとともにその帯状電極１２に隣接する帯状電極１２にプラスの電圧が印加され、また、バーコードシンボル部２にて黒色で表示されるバー５の幅が帯状電極１２の幅の２倍である場合は、隣接する２つの帯状電極１２にマイナスの電圧が印加されるとともにその２つの帯状電極１２の両側に隣接する帯状電極１２にプラスの電圧が印加され、また、バーコードシンボル部２にて黒色で表示されるバー５の幅が帯状電極１２の幅の３倍である場合は、隣接する３つの帯状電極１２にマイナスの電圧が印加されるとともにその３つの帯状電極１２の両側に隣接する帯状電極１２にプラスの電圧が印加されることになる。また、背景部４についても同様に、バーコードシンボル部２にて表示される２つのバー５の間隔が帯状電極１２の幅と同一である場合は、１つの帯状電極１２にプラスの電圧が印加されるとともにその帯状電極１２に隣接する帯状電極１２にマイナスの電圧が印加され、また、バーコードシンボル部２にて表示される２つのバー５の間隔が帯状電極１２の幅の２倍である場合は、隣接する２つの帯状電極１２にプラスの電圧が印加されるとともにその２つの帯状電極１２の両側に隣接する帯状電極１２にマイナスの電圧が印加され、また、バーコードシンボル部２にて表示される２つのバー５の間隔が帯状電極１２の幅の３倍である場合は、隣接する３つの帯状電極１２にプラスの電圧が印加されるとともにその３つの帯状電極１２の両側に隣接する帯状電極１２にマイナスの電圧が印加されることになる。
【００３１】
このように、バーコードシンボル部２にて黒色で表示されるバー５の幅及び間隔に応じて帯状電極１２にプラスあるいはマイナスの電圧が印加されことにより、バーコード表示ラベル６を透明導電膜基板３０側から見た場合、図４（ｂ）に示すように、バーコードシンボル部２においては、白色を具備する背景部４を背景とし、黒色を具備する複数のバー５がその幅方向に複数並んで配置されてなるバーコード１が認識されることになる。なおこの際、バーコードシンボル部２におけるバー５の幅や間隔に応じて同一の電圧が印加される複数の帯状電極１２は、微小間隔で並んで配置されているので、隣接する複数の帯状電極１２に同一の電圧を印加した場合、微小間隔は認識されず、隣接する２つの帯状電極１２に同一の電圧が印加された場合は、帯状電極１２の２倍の幅のバー５または背景部４が認識され、隣接する３つの帯状電極１４に同一の電圧が印加された場合は、帯状電極１２の３倍の幅のバー４または背景部４が認識されることになる。また、余白用電極１５にプラスの電圧が印加されることにより、バーコード表示ラベル６を透明導電膜基板３０側から見た場合、クワイエットゾーン３が白色で認識されることになり、余白用電極１５の幅がナローバーの１０〜２９倍であることから、クワイエットゾーン３の幅もナローバーの１０〜２９倍となっている。また、着色領域用電極１６にマイナスの電圧が印加されることにより、バーコード表示ラベル６を透明導電膜基板３０側から見た場合、クワイエットゾーン３の外側にバーコードシンボル部２にて表示されたバー５と同一の黒色の着色領域３４が認識されることになり、着色領域用電極１６の幅がナローバーの１０倍以上であることから、着色領域３４の幅もナローバーの１０倍以上となっている。すなわち、着色領域３４は、バーコードシンボル部２に表示される複数のバー５の並び方向の幅がナローバーの１０倍以上であり、複数のバー５の並び方向最も外側となる２つのバーから、ナローバーの幅の１０〜２９倍だけ複数のバー５の並び方向外側に離れて設けられていることになる。
【００３２】
また、情報表示層２０においては、配線１３や接続端子１４に対向する領域においても、帯状電極１２、余白用電極１５及び着色領域用電極１６に印加される電圧に応じて帯電性粒子２３が配線１３や接続端子１４、または透明電極３２に引き寄せられることにより、バーコード表示ラベル６を透明導電膜基板３０側から見た場合、黒色または白色が認識されてしまうことになるが、透明基板３２上において、帯状電極１２、余白用電極１５及び着色領域用電極１６と対向しない領域にマスク印刷３３が施されているため、このマスク印刷３３によって、情報表示層２０の配線１３や接続端子１４に対向する領域における状態の変化による色が視認されてしまうことが回避されている。
【００３３】
以下に、着色領域３４による効果について説明する。
【００３４】
着色領域３４は、上述したように、バーコードシンボル部２に表示される複数のバー５の並び方向の幅がナローバーの１０倍以上であり、複数のバー５の並び方向最も外側となる２つのバーから、ナローバーの幅の１０〜２９倍だけ複数のバー５の並び方向外側に離れて設けられている。
【００３５】
図５は、図３及び図４に示したバーコード表示ラベル６において着色領域３４の色によるバーコード１の読取結果を示す図である。
【００３６】
図３及び図４に示したバーコード表示ラベル６において、着色領域３４と、バーコードシンボル部２に表示される複数のバー５の並び方向最も外側となる２つのバーとの間隔を変化させていき、着色領域３４の色によるバーコード１の読取可否を測定した。なお、着色領域３４の複数のバー５の並び方向における幅は、ナローバーの１０倍以上の同一のものとした。また、本測定においては、赤外線レーザタイプのバーコードリーダを用いた。
【００３７】
着色領域３４の色として、本形態のようにバー５と同一の黒色を用いた場合、着色領域３４が、バーコードシンボル部２に表示される複数のバー５の並び方向最も外側となる２つのバーから複数のバー５の並び方向外側にナローバーの幅の１０〜４０倍離れている場合の全てにおいてバーコード１の読み取りを行うことができた。
【００３８】
一方、着色領域３４の色として、バーコードシンボル部２にて表示されるバー５とは異なるピンク色を用いた場合は、着色領域３４が、バーコードシンボル部２に表示される複数のバー５の並び方向最も外側となる２つのバーから複数のバー５の並び方向外側にナローバーの幅の１０〜２９倍離れている場合においてはバーコード１を読み取ることができず、３０倍以上離れている場合においてバーコード１を読み取ることができた。
【００３９】
このように、着色領域３４の色を、バーコードシンボル部２に表示されるバー５と同一のものとすれば、クワイエットゾーン３の幅をかなり広いものとすることなく、この着色領域３４を、バーコードシンボル部２に表示される複数のバー５の並び方向最も外側となる２つのバーからナローバーの幅の１０倍以上複数のバー５の並び方向外側に離して設けるだけで、この着色領域３４の外側にバーコード表示ラベル６のエッジ部が存在したとしても、着色領域３４の外側はバーコードではないと認識され、エッジ部がバーとして認識されてしまうことがなくなる。
【００４０】
なお、本形態においては、着色領域用電極１６を設け、この着色領域用電極１６に帯状電極１２のうちバー５を表示するためのものと同一の電圧を印加することにより、情報表示層２０にてバー５と同一の色を表示するものを例に挙げて説明したが、情報表示層２０の着色領域３４となる領域に予めその電圧を印加することによってバー５と同一の色を表示させておけば、着色領域用電極１６を設ける必要がない。
【００４１】
（第２の実施の形態）
図６は、本発明のバーコード表示ラベルの第２の実施の形態に用いられる配線電極基板の構成を示す図であり、（ａ）は表面から見た図、（ｂ）は（ａ）に示したＡ−Ａ’断面図である。なお、図６に示す配線電極基板１１０においても、図１に示したバーコード１を表示するためのバーコード表示ラベルに用いられるものである。
【００４２】
本形態における配線電極基板は図６に示すように、第１の実施の形態にて示したものに対して、着色領域３４を表示するための着色領域用電極１６が設けられていない点のみが異なるものである。
【００４３】
図７は、図６に示した配線電極基板１１０を用いたバーコード表示ラベルの構成を示す図であり、（ａ）は表面から見た図、（ｂ）は（ａ）に示したＡ−Ａ’断面図である。
【００４４】
本形態におけるバーコード表示ラベルは図７に示すように、第１の実施の形態にて示したものに対して、配線電極基板１１０に着色領域用電極１６が設けられていないことに伴って、透明基板３１の表面のうち余白用電極１５に対向する領域の外側に印刷によって着色領域１３４が設けられている点のみが異なるものである。この着色領域１３４は、情報表示層３０によって表示されるバー５の黒色と略同一色から構成されており、バーコードシンボル部２に表示される複数のバー５の並び方向の幅がナローバーの１０倍以上であり、複数のバー５の並び方向最も外側となる２つのバーから、ナローバーの幅の１０〜２９倍だけ複数のバー５の並び方向外側に離れて設けられている。
【００４５】
以下に、上記のように構成されたバーコード表示ラベル１０６によるバーコード表示について説明する。
【００４６】
図８は、図７に示したバーコード表示ラベル１０６によって図１に示したバーコード１を表示する際の動作を説明するための図であり、バーコード表示ラベル１０６を透明導電膜基板３０側から見た場合の見え方を示す。
【００４７】
図７に示したバーコード表示ラベル１０６によって図１に示したバーコード１を表示する場合は、例えば、透明電極３２を０Ｖとし、また、クワイエットゾーン３を表示するための余白用電極１５と、バーコードシンボル部２にて表現したい情報に応じて背景部４を表示するための帯状電極１２にプラスの電圧を印加するとともに、バーコードシンボル部２にて表現したい情報に応じてバー５を表示するための帯状電極１２にマイナスの電圧を印加することにより、第１の実施の形態に示したものと同様に、バーコード表示ラベル１０６を透明導電膜基板３０側から見た場合、図８に示すように、バーコードシンボル部２においては、白色を具備する背景部４を背景とし、黒色を具備する複数のバー５がその幅方向に複数並んで配置されてなるバーコード１が認識されるとともに、クワイエットゾーン３が白色で認識されることになる。そして、余白用電極１５の幅がナローバーの１０〜２９倍であることから、クワイエットゾーン３の幅もナローバーの１０〜２９倍となっている。また、クワイエットゾーン３の外側には、ナローバーの１０倍以上の幅を有する着色領域１３４が認識されることになる。
【００４８】
このように本形態においても、バーコードシンボル部２に表示される複数のバー５の並び方向外側には、バー５を表示する黒色と略同一色を具備するとともに、複数のバー５の並び方向の幅が、ナローバーの１０倍以上である着色領域１３４が、複数のバー５の並び方向最も外側となる２つのバーから、ナローバーの幅の１０〜２９倍だけ複数のバー５の並び方向外側に離れて設けられているので、この着色領域１３４の外側はバーコードを表現する部分とは認識されず、それにより、着色領域１３４の外側にバーコード表示ラベルのエッジ部が存在したとしても、エッジ部がバーとして認識されてしまうことがない。
【００４９】
なお、上述した２つの実施の形態に示したもののように、バーコードシンボル部２に表示される複数のバー５の並び方向外側に、バー５を表示する黒色と略同一色を具備するとともに、複数のバー５の並び方向の幅が、ナローバーの１０倍以上である着色領域３４，１３４が、複数のバー５の並び方向最も外側となる２つのバーから、ナローバーの幅の１０〜２９倍だけ複数のバー５の並び方向外側に離れて設けられていれば、この着色領域３４，１３４が、バーコード表示ラベル６，１０６のエッジにかかっている必要はなく、着色領域３４，１３４の複数のバー５の並び方向外側に、バーコード表示ラベル６，１０６のエッジにかかるようにマスク印刷が施されていてもよい。
【符号の説明】
【００５０】
１    バーコード
２    バーコードシンボル部
３    クワイエットゾーン
４    背景部
５    バー
６，１０６    バーコード表示ラベル
１０，１１０    配線電極基板
１１    ベース基板
１２    帯状電極
１３    配線
１４    接続端子
１５    余白用電極
１６    着色領域用電極
２０    情報表示層
２１    隔壁
２２    隔壁内液体
２３    帯電性粒子
２４    シール層
３０    透明導電膜基板
３１    透明基板
３２    透明電極
３３    マスク印刷
３４，１３４    着色領域
４１    粘着剤
４２    剥離紙
【図１】
0005623223.tif 000002
【図２】
0005623223.tif 000003
【図３】
0005623223.tif 000004
【図４】
0005623223.tif 000005
【図５】
0005623223.tif 000006
【図６】
0005623223.tif 000007
【図７】
0005623223.tif 000008
【図８】
0005623223.tif 000009